(57)【要約】【課題】既設のエレベータのかご上をフラット化できることに加えて、救出口や点検口などを工具を使用することなく簡便に開閉することができるようにする。【解決手段】本発明の実施形態に係るかご上作業床は、エレベータのかご上をフラット化するために、かご室10の天井パネル12の補強部材14、15に取り付けられるかご上作業床である。このかご上作業床は、天井パネル12を小区画に分け、小区画毎に配置される複数の作業床パネル20A〜20Eと、天井パネル12上の特定小区画に固定され、開口を有する枠形固定床パネル22と、枠型固定床パネル22の開口を塞ぐように配置され、持ち上げるだけで取り外しが可能な開口床パネル24と、を有する特別作業床パネル21と、からなる。【選択図】図２
2019119568.tif 000002
【特許請求の範囲】
【請求項１】
エレベータのかご上をフラット化するために、かご室の天井パネルの補強部材に取り付けられるかご上作業床であって、
前記天井パネルを小区画に分け、前記小区画毎に配置される複数の作業床パネルと、
前記天井パネル上の特定小区画に固定され、開口を有する枠形固定床パネルと、前記枠型固定床パネルの開口を塞ぐように配置され、持ち上げるだけで取り外しが可能な開口床パネルと、を有する特別作業床パネルと、
からなることを特徴とするエレベータのかご上作業床。
【請求項２】
特別作業床パネルは、設置状態では前記開口床パネルの浮き上がりを抑止し、取り外しの際には手掛かりを形成し、ストッパ手段により一方向にのみ旋回可能なターンプレートを有することを特徴とする請求項１に記載のエレベータのかご上作業床。
【請求項３】
前記ストッパ手段は、前記開口床パネルに取り付けられ、前記ターンプレートの一方の側縁部が載る第１のストッパと、前記ターンプレートの他方の側面部に取り付けられ、前記固定床パネルの下面に当接する第２のストッパからなることを特徴とする請求項２に記載のエレベータのかご上作業床。
【請求項４】
前記ストッパ手段は、前記固定床パネルに取り付けられ、前記ターンプレートの旋回を一方向に規制するストッパと、前記ターンプレートの下面に固定され、手掛かりとなる穴を有し前記ストッパに係合可能なストッパ受けと、からなることを特徴とする請求項２に記載のエレベータのかご上作業床。
【請求項５】
前記特別作業床パネルは、救出口扉のある小区画に設置され、前記開口床パネルを取り外すことにより、前記救出口扉を開閉可能であることを特徴とする請求項１乃至４のいずれかに記載のエレベータのかご上作業床。
【請求項６】
前記作業床パネルおよび前記特別作業床パネルは、既設のかご室の天井パネルに設置されることを特徴とする請求項１乃至４のいずれかに記載のエレベータのかご上作業床。
【発明の詳細な説明】
【技術分野】
【０００１】
本発明の実施形態は、エレベータのかご上作業床に関する。
【背景技術】
【０００２】
エレベータの乗りかごでは、天井パネルの表面がかご室内に面していて、天井パネルの裏面がかご上と呼ばれる面になっている。天井パネルの裏面、すなわち、かご上には、補強材が縦横に取り付けられている。また、かご上には、かご枠を構成している上梁があるほかに、種々の電気機器が設置されている。
【０００３】
エレベータの据え付け及び保守点検作業には、作業員が乗りかごのかご上に乗って行わなければならない作業が多い。一般に、かご上には、補強材や電気機器があることによって凸凹が多く、つまづいて転倒する虞があった。そこで、かご上での作業の安全性を確保するために、かご上をフラット化する作業床が提案されている（例えば、特許文献１）。
【０００４】
従来、この種の作業床は、エレベータ新設時にかご上に設置するもので、既設のエレベータの乗りかごに対しては適用できなかった。  
そこで、最近では、既設のエレベータのかご上をフラット化する方法が検討されるようになってきている。
【先行技術文献】
【特許文献】
【０００５】
【特許文献１】特開２００８−１３３２８号
【発明の開示】
【発明が解決しようとする課題】
【０００６】
しかしながら、既設のエレベータに対して、乗りかごのかご上に作業床を敷いてフラット化する場合、特に問題となるのは救出口である。  
乗りかごの天井には、緊急時にかご室内に閉じ込められた乗客を救出するための救出口が設けられている。かご上を作業床でフラット化する場合、救出口の上にも作業床が載ることになる。そうすると、作業床が邪魔になって救出口を開けられなくならないような対策を講じる必要がある。しかも、救出口を開けるのは、緊急の事態であるので、工具などを準備している余裕はなく、工具を使わずに簡便に開けられるようにしなければならない。
【０００７】
また、救出口以外にも、照明装置などの保守点検を行うために、点検口を開ける必要があり、これらの点検口についても簡便に開閉できることが望まれている。
【０００８】
本発明は、前記従来技術の有する問題点に鑑みなされたものであって、既設のエレベータのかご上をフラット化できることに加えて、救出口や点検口などを工具を使用することなく簡便に開閉することができるようにしたエレベータのかご上作業床を提供することを目的とする。
【課題を解決するための手段】
【０００９】
前記の目的を達成するために、本発明の一実施形態に係るエレベータのかご上作業床は、エレベータのかご上をフラット化するために、かご室の天井パネルの補強部材に取り付けられるかご上作業床であって、前記天井パネルを小区画に分け、前記小区画毎に配置される複数の作業床パネルと、前記天井パネル上の特定小区画に固定され、開口を有する枠形固定床パネルと、前記枠型固定床パネルの開口を塞ぐように配置され、持ち上げるだけで取り外しが可能な開口床パネルと、を有する特別作業床パネルと、からなることを特徴とするものである。
【図面の簡単な説明】
【００１０】
【図１】本発明が適用されるエレベータの乗りかごのかご上構造を示す斜視図である。
【図２】図１に示したかご上構造に適用される本発明の第１実施形態に係るエレベータのかご上作業床を示す斜視図である。
【図３】本発明の第１実施形態に係るエレベータのかご上作業床において開口部作業床パネルの概要を示す斜視図である。
【図４】開口部作業床パネルを上から見た平面図である。
【図５】開口床パネルを持ち上げた状態を示す斜視図である。
【図６】閉じた位置にあるターンプレートの断面図である。
【図７】開いた位置にあるターンプレートの断面図である。
【図８】本発明の第２実施形態によるエレベータのかご上作業床においてターンプレートが閉じて水平になっているときの断面を示す断面図である。
【図９】ターンプレートが開いているときの断面を示す断面図である。
【図１０】ターンプレートが閉じている状態での開口部作業床パネルの全体を示す平面図である。
【図１１】ターンプレートが開いている状態で開口床パネルを持ち上げた状態を示す斜視図である。
【発明を実施するための最良の形態】
【００１１】
以下、本発明によるエレベータのかご上作業床の実施形態について、添付の図面を参照しながら説明する。  
（第１実施形態）  
図１は、本発明が適用されるエレベータの乗りかごのかご上構造を示す斜視図である。図２は、図１に示したかご上構造に適用される本発明の第１実施形態に係るエレベータのかご上作業床を示す斜視図である。  
図１において、参照番号10は、乗りかごのかご室を示している。このかご室10の天井は、天井パネル12によって構成されている。かご上とは、天井パネル12の裏面、すなわち天井パネル12のかご室外側の面およびその上に設けされる構造物を含む。
【００１２】
図１に示されるように、天井パネル12の裏面全体には、複数の補強部材14、15が格子状に締結されている。補強部材14、15としては、Ｌ形の型材が用いられている。かご室10のかご上には、様々な機器や構造物が設けられている。図１では、その例として、かご枠を構成している上梁13、救出口16、空調装置17、救出口扉18が示されている。
【００１３】
このようなエレベータのかご上では、補強部材14、15が縦横に走っているため、凸凹があちこちにあり、作業員がかご上に載って作業するときに躓いて転倒する原因となっている。
【００１４】
この実施形態では、既設エレベータのかご上を平坦にするための作業床は次のように設置される。
【００１５】
図１に示されるように、天井パネル12の裏面は、補強部材14、15によって格子状に複数の小区画が仕切られている。この実施形態では、小区画を単独、あるいは複数の小区画をまとめて一つの区画にして、図２に示されるように、各区画に作業床パネル20A、20B、20C、20D、20Eが載置されている。各作業床パネル20A、20B、20C、20D、20Eは、補強部材14、15に対して、ボルト、ナットなどの締結部材を用いて固定されている。これら各作業床パネル20A、20B、20C、20D、20Eは、表面が平坦なパネルであり、補強部材14、15を隠して、凸凹のないフラットな作業床面を形成するパネルである。
【００１６】
本実施形態の作業床としては、作業床パネル20A、20B、20C、20D、20Eの他に、特別作業床パネルとして、開口部作業床パネル21が設けられている。この開口部作業床パネル21は、特定の箇所、この場合、救出口扉18の上に載置される特別作業床パネルである。かご上にある開口部としては、緊急時にかご室内に閉じ込められた乗客を救出する救出口や、天井照明装置の点検口などがある。この実施形態では、救出口を開閉する救出口扉18の上に設置される開口部作業床パネル21を代表例として挙げて説明する。
【００１７】
かご上では、作業床パネル20A、20B、20C、20D、20Eや開口部作業床パネル21が天井パネル12の全面に敷き詰められている訳ではなく、各種機器の据付や保守点検作業で歩き回る足場として必要となる範囲内に敷設されれば十分である。例えば、かご枠の上梁13の下や、空調装置17の回りには、作業床はなくてもよい。
【００１８】
次に、図３乃至図７を参照して、開口部作業床パネル21について詳細に説明する。  
図３は、開口部作業床パネル21の概要を示す斜視図である。
【００１９】
この実施形態による開口部作業床パネル21は、開口部を有する枠体をなしている固定床パネル22と、この開口部を塞ぐように配置され、持ち上げて取り外しが可能な開口床パネル24と、から構成されている。
【００２０】
ここで、図４は、開口部作業床パネル21を上から見た平面図である。図５は、開口床パネル24を持ち上げた状態を示す斜視図である。  
固定床パネル22は、救出口扉18を収めることが可能な大きさの開口23を有している。救出口扉18は、開口23と同心位置になっている。固定床パネル22は、開口23の長辺側に配置されたブラケット25と、コーナー部に配置されたブラケット27に締結部材によって固定されている。開口床パネル24は、開口23とほぼ同じ縦横寸法を有しているパネルであり、開口23をすっぽり覆うことができる。
【００２１】
このような開口床パネル24は、ブラケット25、27の開口23から露出している部分に載るようになっており、ブラケット25、27によって支持されている。この場合、開口床パネル24は、ブラケット25、27に固定されずに、単純に載置されているだけである。したがって、開口床パネル24は、単純に持ち上げて取り外せるようになっている。
【００２２】
また、開口床パネル24は、緊急時や点検時以外には、取り外されることはないので、エレベータ運転中の乗りかごの昇降に伴う振動などにより、開口床パネル24の浮き上がりやずれを防止するための手段として、図４乃至図７に示されるように、次のような機構が設けられている。
【００２３】
これらの図４乃至図７において、参照番号26は、ターンプレートを示している。このターンプレート26は、ヒンジ30を介して旋回可能に開口床パネル24の両側に取り付けられている。
【００２４】
図４では、ターンプレート26は水平で、開口床パネル24と面一になっており、この状態がターンプレート26の閉じた位置である。図６は、閉じた位置にあるターンプレート26の断面を示す。図５では、ターンプレート26は旋回して開口床パネル24に対して垂直な姿勢になっており、この状態がターンプレート26の開いた位置である。図７は、この開いた位置にあるターンプレート26の断面を示している。開口床パネル24の両側にはターンプレート26と同形状の切欠き29が形成され、ターンプレート26は、この切欠き29を塞ぐように旋回可能に取り付けられている。
【００２５】
図６、図７に示されるように、開口床パネル24の下面には、切欠き29に向かって突き出るように、板状の第１のストッパ32が固着されている。この場合、旋回軸と平行な、ターンプレート26の長手方向の一方の側縁部が第１のストッパ26に載るようになっている。さらに、ターンプレート26の長手方向の他方の側縁部には、同じく板状の第２のストッパ34が取り付けられている。この第２のストッパ34は、ターンプレート26が水平な姿勢では、固定床パネル22の縁部下面に当たるようになっている。
【００２６】
本実施形態によるエレベータのかご上作業床は、以上のように構成されるものであり、次に、その作用および効果について説明する。  
図２に示されるように、天井パネル12の上に作業床パネル20A乃至20Eおよび開口床パネル24を敷設することにより、天井パネル12に取り付けられている補強部材14、15を覆って、作業員が凹凸につまずいて足を取られることのないフラットなかご上にすることができる。作業員は、作業床パネル20A乃至20Eおよび開口床パネル24を踏面にして、保守点検作業を安全に遂行することができる。
【００２７】
開口床パネル24は、保守・点検作業に際しては、作業床パネル20A乃至20Eと同様の足場を提供する。図６において、ターンプレート26の寸法は、作業員の靴底の大きさとさほど大きな違いはないので、作業員がターンプレート26を踏んでも、第１のストッパ32が荷重を受けて回り止めとなり、ターンプレート26は回らないように水平に保持され、作業員は足を取られることはない。
【００２８】
開口床パネル24は、ブラケット25、27の上に載っているだけであるため、平常のエレベータ運転時には、振動や揺れによって浮き上がる可能性がある。この実施形態では、開口床パネル24が浮き上がると、第２のストッパ34が固定床パネル22に当たるため、浮き上がりを抑止することができる。
【００２９】
緊急時に、救出口扉１８を開ける場合には、次のようにして開口床パネル24を取り外すことができる。図６において、矢印Ａで示すように、ターンプレート26の第２ストッパ３４側の端を指で押し下げると、ターンプレート26は、図６において時計回りに旋回する。図７に示されるように、ターンプレート26を垂直に立てると、開口床パネル24とターンプレート26の間が開口する。この開口に手を入れ、第１ストッパ３２を取手代わりにして、開口床パネル３４を持ち上げて簡単取り外すことができる。図５において、開口床パネル24を取りはずせば、露出した救出口扉18を開けることができる。このように、本実施形態によれば、工具を一切用いることなく開口床パネル24を外して、救出口扉18を開けられるようになる。
【００３０】
（第２実施形態）  
次に、本発明の第２実施形態に係るエレベータのかご上作業床について、図８乃至図１１を参照して説明する。  
この第２実施形態は、開口床パネル24の両側にターンプレート26を設ける点は、第１実施形態と同様である。異なる点は、ターンプレート26を水平に保持するとともに、一方向に旋回可能にするストッパの構成にある。  
この第２実施形態では、横断面コ字形の型材からなるストッパ40と、横断面Ｚ形の型材からなるストッパ受け42と、が組み合わされている。
【００３１】
図８は、ターンプレート26が水平になっているときの断面を示す。図９は、ターンプレート26が開いたときの断面を示し、図１０は、ターンプレート26が開いている状態での開口部作業床パネル21の全体を示す平面図である。
【００３２】
ストッパ40は、その上辺が固定床パネル22に固定されている。上辺部よりも幅のある下辺部40aは、ターンプレート26側に突き出るようになっている。  
他方、ストッパ受け42は、平行な２辺のうち、一辺はターンプレート26の裏面に固定されている。ターンプレート26が水平、すなわち閉じている状態では、図８に示されるように、ストッパ受け42の他方の辺42ａは、ストッパ40の下辺部40ａに係合する。この状態では、ターンプレート26は、図８において反時計回りには旋回することができず、時計回りにのみ旋回可能である（図９参照）。図１０、図１１に示されるように、ターンプレート26が開いたときに水平になる面には、長穴44が形成されている。この長穴44は、手をいれてストッパ受け42を取手に利用できるようにする穴である。
【００３３】
以上のような第２実施形態によっても、緊急時に救出口扉18を開ける場合には、第１実施形態と同様次のようにして工具を何も使わずに開口床パネル24を取り外すことができる。  
図８において、矢印Ｂで示すように、ターンプレート26のストッパ40側の端を指で押し下げると、ターンプレート26は、図８において時計回りには規制されていないために旋回する。
【００３４】
図１０、図１１に示されるように、ターンプレート26を垂直に立てると、ストッパ受け42の水平になっている面には、長穴44が開口しているので、この開口に手を入れ、ストッパ受け42を取手代わりにして、開口床パネル３４を持ち上げて簡単取り外すことができる。図１１において、開口床パネル24を取りはずせば、露出した救出口扉18を開けることができる。
【００３５】
また、第2実施形態においても、エレベータの平常運転中に、開口床パネル24が浮き上がると、図８において、ストッパ受け42の下辺部42ａがストッパ40の下辺部40aに当たるため、浮き上がりを抑止することができる。
【００３６】
以上、本発明に係るエレベータのかご上作業床について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３７】
10…かご室、12…天井パネル、13…上梁、14、15…補強部材、16…救出口、17…空調装置、18…救出口扉、20A〜20E…作業床パネル、21…開口部作業床パネル、22…固定床パネル、23…開口、24…開口床パネル、25、27…ブラケット、26…ターンプレート、30…ヒンジ、32…第１のストッパ、34…第２のストッパ
【図１】
2019119568.tif 000003
【図２】
2019119568.tif 000004
【図３】
2019119568.tif 000005
【図４】
2019119568.tif 000006
【図５】
2019119568.tif 000007
【図６】
2019119568.tif 000008
【図７】
2019119568.tif 000009
【図８】
2019119568.tif 000010
【図９】
2019119568.tif 000011
【図１０】
2019119568.tif 000012
【図１１】
2019119568.tif 000013
【手続補正書】
【提出日】平成31年1月29日(2019.1.29)
【手続補正１】
【補正対象書類名】明細書
【補正対象項目名】０００９
【補正方法】変更
【補正の内容】
【０００９】
前記の目的を達成するために、本発明の一実施形態に係るエレベータのかご上作業床は、エレベータのかご上をフラット化するために、かご室の天井パネルの補強部材に取り付けられるかご上作業床であって、前記天井パネルを小区画に分け、前記小区画毎に配置される複数の作業床パネルと、前記天井パネル上の特定小区画に固定され、開口を有する枠形固定床パネルと、前記枠型固定床パネルの開口を塞ぐように配置され、持ち上げるだけで取り外しが可能な開口床パネルと、を有する特別作業床パネルと、からなり、前記特別作業床パネルは、設置状態では前記開口床パネルの浮き上がりを抑止し、取り外しの際には手掛かりを形成し、ストッパ手段により一方向にのみ旋回可能なターンプレートを有することを特徴とするものである。
【手続補正２】
【補正対象書類名】特許請求の範囲
【補正対象項目名】全文
【補正方法】変更
【補正の内容】
【特許請求の範囲】
【請求項１】
エレベータのかご上をフラット化するために、かご室の天井パネルの補強部材に取り付けられるかご上作業床であって、
前記天井パネルを小区画に分け、前記小区画毎に配置される複数の作業床パネルと、
前記天井パネル上の特定小区画に固定され、開口を有する枠形固定床パネルと、前記枠型固定床パネルの開口を塞ぐように配置され、持ち上げるだけで取り外しが可能な開口床パネルと、を有する特別作業床パネルと、
からなり、
前記特別作業床パネルは、設置状態では前記開口床パネルの浮き上がりを抑止し、取り外しの際には手掛かりを形成し、ストッパ手段により一方向にのみ旋回可能なターンプレートを有することを特徴とするエレベータのかご上作業床。
【請求項２】
前記ストッパ手段は、前記開口床パネルに取り付けられ、前記ターンプレートの一方の側縁部が載る第１のストッパと、前記ターンプレートの他方の側面部に取り付けられ、前記固定床パネルの下面に当接する第２のストッパからなることを特徴とする請求項１に記載のエレベータのかご上作業床。
【請求項３】
前記ストッパ手段は、前記固定床パネルに取り付けられ、前記ターンプレートの旋回を一方向に規制するストッパと、前記ターンプレートの下面に固定され、手掛かりとなる穴を有し前記ストッパに係合可能なストッパ受けと、からなることを特徴とする請求項１に記載のエレベータのかご上作業床。
【請求項４】
前記特別作業床パネルは、救出口扉のある小区画に設置され、前記開口床パネルを取り外すことにより、前記救出口扉を開閉可能であることを特徴とする請求項１乃至３のいずれかに記載のエレベータのかご上作業床。
【請求項５】
前記作業床パネルおよび前記特別作業床パネルは、既設のかご室の天井パネルに設置されることを特徴とする請求項１乃至３のいずれかに記載のエレベータのかご上作業床。